(57)【要約】      （修正有）【課題】  操作感にすぐれた空調用レジスタを提供すること。【解決手段】  本発明の空調用レジスタは、レジスタパネルと、筒状のリテーナと、リテーナに回転自在に支持・収納された縦ブレードおよび横ブレードと、車室内側の表面に操作部が形成される。車室内のレジスタパネルの下方に設けられた縦ブレードおよび横ブレードの風向きを決定する入力部と、入力部と縦ブレードと接続する回転可能な状態で配置された棒状の部材よりなり、球状部の横方向の変移により回転し、この回転で縦ブレードを回転する回転シャフトと、入力部と横ブレードとを接続する縦方向に往復動可能な状態で配置された棒状の部材よりなり、球状部の縦方向の変移により縦方向に変移し、この変移で横ブレードを回転する縦シャフトを有することを特徴とする。入力部からダイレクトにそれぞれのブレードに伝達できることから、高い操作感が得られた。【選択図】  図４
2006281937.tif 000002
【特許請求の範囲】
【請求項１】
車室内にもうけられ空調用空気の吹き出し口を持つレジスタパネルと、
該レジスタパネルにもうけられ、該吹き出し口に連通する通風路を持つ筒状のリテーナと、
該リテーナに回転自在に支持・収納され、該空調用空気の風向きを横方向に調整可能な縦ブレードと、
該リテーナに回転自在に支持・収納され、該空調用空気の風向きを縦方向に調整可能な横ブレードと、
車室内側の表面に操作部が形成されるとともに該操作部の操作により回転するとともに操作により回転したときの回転中心をもつ球状部と、該球状部を回転可能な状態で支持する回転支持部と、を有し、該車室内の該レジスタパネルの下方に該操作部が該車室内に表出してもうけられた該縦ブレードおよび該横ブレードの風向きを決定する入力部と、
該入力部と該縦ブレードと接続する回転可能な状態で配置された棒状の部材よりなり、該球状部の横方向の変移により回転し、この回転で該縦ブレードを回転する回転シャフトと、
該入力部と該横ブレードとを接続する縦方向に往復動可能な状態で配置された棒状の部材よりなり、該球状部の縦方向の変移により縦方向に変移し、この変移で該横ブレードを回転する縦シャフトと、
を有することを特徴とする空調用レジスタ。
【請求項２】
前記入力部は、横方向に広がる平面にそって前記球状部の裏面に突出し、周方向の外周面に歯車がもうけられた略扇状の横回転ギアを有し、前記回転シャフトの一方の端部は、該横回転ギアと噛合する入力ギアを有する請求項１記載の空調用レジスタ。
【発明の詳細な説明】
【技術分野】
【０００１】
本発明は、空調用空気を吹き出す空調用レジスタに関し、詳しくは、レジスタの車室内への開口部とレジスタの風向を調節する操作部とが離れてもうけられた空調用レジスタに関する。
【背景技術】
【０００２】
車両においては、空調装置で空調用空気を調製し、この空調用空気を車室内に吹き出すことで車室内の温度を調節している。空調用空気の車室内への吹き出しは、車室内に設けられた空調用レジスタを介してなされている。一般的な空調用レジスタは、吹き出し口を持つレジスタパネルと、吹き出し口に連通する通風路を持つ筒状のリテーナと、リテーナに回転自在に支持・収納された複数の縦ブレードおよび横ブレードと、から構成されている。そして、縦ブレード及び横ブレードの向きを調節することで空調用空気を所望の方向に吹き出している。
【０００３】
そして、縦ブレード及び横ブレードには車室内側に突出したノブがもうけられておいる。縦ブレードおよび横ブレードの向きの調節は、このノブを操作することでそれぞれのブレードを回転させ、所望の方向にブレードを向けることでなされている。つまり、吹き出し口から突出したノブの操作により空調用空気の吹き出し方向を調節していた。
【０００４】
しかしながら、近年の車両においては、車室内の意匠性の向上も要求されている。この意匠性の要求にともなって、吹き出し口と乗員との距離が長くなっている。吹き出し口と乗員との距離が長くなると乗員が吹き出し口に突出したノブに届きにくくなり、操作性が低下するという問題があった。
【０００５】
この操作性の低下を解消するために、操作部を空調用レジスタとを離して配置して遠隔操作することができる空調用レジスタが提案されている。このような空調用レジスタとしては、例えば、特許文献１に開示されている。
【０００６】
特許文献１には、吹き出し口とブレードを操作するための調整レバーとが離れた位置にもうけられた空調用レジスタであって、調整レバーの動作の上下方向の変移と左右方向の変移のそれぞれを別々のワイヤで伝達する空調用レジスタが開示されている。
【０００７】
しかしながら、特許文献１の空調用レジスタにおいて調整レバーの操作により生じた球状部の変移を伝達するワイヤは、調整レバーの操作をダイレクトに伝えにくいという問題があった。具体的には、ワイヤは、樹脂などの外筒の内部に金属線材が挿入された構成を有し、この金属線材を引っ張ることで操作の入力を伝達している。そして、ワイヤは、外筒の両端部を固定することで設置されている。つまり、ワイヤは全長が固定されない。この結果、金属線材を引っ張ると、ワイヤの固定されていない部分の位置がずれる。つまり、金属線材を引っ張る力の一部がワイヤのズレに用いられることで力のロスが発生していた。この結果、ブレードを所望の方向に向けることが困難となっていた。
【特許文献１】実開平４−２０９４９号公報
【発明の開示】
【発明が解決しようとする課題】
【０００８】
本発明は上記実状に鑑みてなされたものであり、吹き出し口と操作部とが離れた位置にもうけられた空調用レジスタにおいて操作感にすぐれた空調用レジスタを提供することを課題とする。
【課題を解決するための手段】
【０００９】
上記課題を解決するために本発明者らは空調用レジスタの遠隔操作について検討を重ねた結果本発明をなすに至った。
【００１０】
すなわち、本発明の空調用レジスタは、車室内にもうけられ空調用空気の吹き出し口を持つレジスタパネルと、レジスタパネルにもうけられ、吹き出し口に連通する通風路を持つ筒状のリテーナと、リテーナに回転自在に支持・収納され、空調用空気の風向きを横方向に調整可能な縦ブレードと、リテーナに回転自在に支持・収納され、空調用空気の風向きを縦方向に調整可能な横ブレードと、車室内側の表面に操作部が形成されるとともに操作部の操作により回転するとともに操作により回転したときの回転中心をもつ球状部と、球状部を回転可能な状態で支持する回転支持部と、を有し、車室内のレジスタパネルの下方に操作部が車室内に表出してもうけられた縦ブレードおよび横ブレードの風向きを決定する入力部と、入力部と縦ブレードと接続する回転可能な状態で配置された棒状の部材よりなり、球状部の横方向の変移により回転し、この回転で縦ブレードを回転する回転シャフトと、入力部と横ブレードとを接続する縦方向に往復動可能な状態で配置された棒状の部材よりなり、球状部の縦方向の変移により縦方向に変移し、この変移で横ブレードを回転する縦シャフトと、を有することを特徴とする。
【発明の効果】
【００１１】
本発明の空調用レジスタは、縦ブレード及び横ブレードを所望の方向に変移させるための指示を行う入力部を、吹き出し口の下方でありかつ離れた位置にもうけている。そして、この入力部とそれぞれのブレードとをシャフトにより接続している。入力部とそれぞれのブレードとを接続したシャフトは、入力部に入力された操作をダイレクトにそれぞれのブレードに伝達できることから、本発明の空調用レジスタは、高い操作感が得られた。さらに、入力部と吹き出し口とを離れた位置に設置できることを示し、設計の自由度が向上する。
【発明を実施するための最良の形態】
【００１２】
本発明の空調用レジスタは、レジスタパネル、リテーナ、縦ブレード、横ブレード、入力部、回転シャフトおよび縦シャフトを備える。
【００１３】
レジスタパネルは、車室内に表出し空調用空気の吹き出し口を持つ。つまり、車室内に空調用空気が吹き出す吹き出し口を形成している。
【００１４】
リテーナは、レジスタパネルにもうけられ、吹き出し口に連通する通風路を持つ筒状の部材である。つまり、リテーナは、空調用空気が流れる通風路を区画している。そして、リテーナは、空調用空気を吹き出し口まで流す部材であり、レジスタパネル側の端部は、吹き出し口と略一致する形状に形成されている。これにより、リテーナを流れた空調用空気が漏れることなく吹き出し口から吹き出す。
【００１５】
縦ブレードおよび横ブレードは、リテーナ内に回転自在に支持・収納され、空調用空気の風向きを調整する部材である。縦ブレードはリテーナ内に縦方向にのびた状態で、横ブレードはリテーナ内で横方向に伸びた状態で支持・収納される。縦ブレードは、空調用空気の吹き出す方向を横方向に調節する。横ブレードは、空調用空気の吹き出す方向を縦方向に調節する。本発明の空調用レジスタにおいて、横方向および縦方向は、お互いに垂直な方向を示す。横方向が車両の車幅方向を示し、縦方向が車両の上下方向を示すことが好ましい。
【００１６】
入力部は、車室内側の表面に操作部が形成されるとともに操作部の操作により回転するとともに操作により回転したときの回転中心をもつ球状部と、球状部を回転可能な状態で支持する回転支持部と、を有し、車室内のレジスタパネルの下方に操作部が車室内に表出してもうけられた縦ブレードおよび横ブレードの風向きを決定する。入力部は、縦ブレード及び横ブレードの風向きを決定する。
【００１７】
回転シャフトは、入力部と縦ブレードと接続する回転可能な状態で配置された棒状の部材よりなる。そして、回転シャフトは、球状部の横方向の変移により回転し、この回転で縦ブレードを回転する。つまり、回転シャフトは、入力部の入力により回転し、この回転で縦ブレードを回転させ所望の方向に向ける部材である。
【００１８】
縦シャフトは、入力部と横ブレードとを接続する縦方向に往復動可能な状態で配置された棒状の部材よりなる。そして、球状部の縦方向の変移により縦方向に変移し、この変移で横ブレードを回転する。つまり、縦シャフトは、入力部の入力により縦方向に変移し、この変移で横ブレードを回転させ所望の方向に向ける部材である。
【００１９】
回転シャフトおよび縦シャフトは、いずれも棒状の部材よりなる。棒状の部材よりなることで、入力部の操作がダイレクトに各ブレードに伝達されるようになる。回転シャフトおよび縦シャフトは、入力部が吹き出し口の下方にもうけられることから、縦方向に伸びる状態で配置される。各シャフトを構成する棒状の部材は、いずれも高い剛性を有することが好ましい。各シャフトが高い剛性をもつことで、シャフト自体の変形などによる力のロスが発生しなくなり、入力部からの指示をそれぞれが接続されたブレードにロスを生じることなく伝達できる。各シャフトを構成する棒状の部材は、その材質が特に限定されるものではないが、金属よりなることが好ましい。
【００２０】
回転シャフトおよび縦シャフトは、入力部および各ブレードに直接接続されていても、ギア等の動力伝達手段を介して接続されても、どちらでもよい。
【００２１】
本発明の空調用レジスタは、球状部の表面側の操作部が車室内にもうけられ、この操作部を操作して球状部を回転させる。球状部の回転のうち横方向の変移を回転シャフトに、縦方向の変移を縦シャフトに伝達し、それぞれのブレードを回転させる。
【００２２】
入力部と各シャフトとの接続は、球状部の回転のうち横方向の変移を回転シャフトに、縦方向の変移を縦シャフトに伝達できる接続方法であれば特に限定されるものではない。
【００２３】
入力部は、横方向に広がる平面にそって球状部の裏面に突出し、周方向の外周面に歯車がもうけられた略扇状の横回転ギアを有し、回転シャフトの一方の端部は、横回転ギアと噛合する入力ギアを有することが好ましい。入力部が回転ギアを有し回転シャフトがこの回転ギアに噛合する入力ギアを有することで、入力部の操作部の操作により生じた球状部の回転が回転シャフトに伝達される。
【００２４】
入力部は、縦方向に広がる平面に沿って球状部の裏面に突出した突出部を有し、周方向の外周面に歯車がもうけられた略扇状の縦回転ギアを有し、この縦回転ギアに噛合する略扇形の対向ギアを配置し、この対向ギアに縦シャフトの一方の端部が接続されたことが好ましい。入力部の操作部の操作により生じた球状部の回転のうち縦方向の変移が縦シャフトに伝達される。
【００２５】
また、それぞれのブレードと各シャフトとの接続についても特に限定されるものではない。
【００２６】
回転シャフトの他方の端部が回転シャフトと同軸に形成された出力ギアを、縦ブレードが縦ブレードの回転軸と同軸に形成された縦ブレードギアを、有し、出力ギアと縦ブレードギアとが噛合したことが好ましい。噛合する出力ギアと縦ブレードギアとを有することで回転シャフトの回転が縦ブレードに伝達される。
【００２７】
横ブレードが、横ブレードを回転軸にそって回転させる接続部を有し、この接続部に縦シャフトの他方の端部が接続したことが好ましい。これにより、縦シャフトの縦方向の変移により横ブレードを回転できるようになる。
【００２８】
縦シャフトの両端の接続部は、ボールジョイントなどにより縦シャフトが揺動可能な状態で接続したことが好ましい。これにより、球状部の回転による円運動を伝達できる。
【００２９】
本発明の空調用レジスタは、入力部と各ブレードとをシャフトで接続した以外の構成は、従来公知の空調用レジスタと同様の構成とすることができる。
【実施例】
【００３０】
以下、実施例を用いて本発明を説明する。
【００３１】
（実施例）
本発明の実施例として、車両用の空調用レジスタを作製した。実施例の空調用レジスタの構成を図１〜４に示した。
【００３２】
実施例の空調用レジスタは、レジスタパネル１、リテーナ２、横ブレード３、縦ブレード４、入力部５、回転シャフト６および縦シャフト７を備える。
【００３３】
レジスタパネル１は、車両の車室内に開口した吹き出し口１０をもつ。また、リテーナ２の吹き出し口近傍を保持する。
【００３４】
リテーナ２は、空調用空気を調製する空調装置（図示せず）とレジスタパネル１の吹き出し口１０とを連通し、空調装置で調製された空調用空気が内部を空気流路を区画する筒状を有する。本実施例のリテーナ２は、吹き脱し口近傍で断面長方形状の空気流路を区画している。
【００３５】
横ブレード３は、リテーナ２の通風路の内部に回転自在に支持・収納された略帯状の部材である。横ブレード３は、帯の幅方向の先端部を回転軸として回転可能な状態で、帯ののびる方向の両端部がリテーナ２の開口部近傍の一対の側面壁のそれぞれに支持された状態で組み付けられている。
【００３６】
そして、横ブレード３は、複数枚（実施例においては４枚）がお互いが平行な状態が維持されるように組み付けられた。詳しくは、複数の横ブレード３のそれぞれが、横ブレード３の回転軸より基端側で接続部材３１で接続された。これによそれぞれの横ブレード３の平行状態が維持された。接続部材３１は、それぞれの横ブレード３が接続される接続本体部３１０と、接続本体部３１０と一体をなし接続本体部３１０から基端側に突出した接続端部３１１と、を有する板状の部材である。接続部材３１は、接続端部３１１の先端部近傍に回転中心３１２をもち、この回転中心３１２を中心に回転する。
【００３７】
縦ブレード４は、リテーナ２の通風路の内部に回転自在に支持・収納された略帯状の部材である。縦ブレード４は、帯の幅方向の中央を回転軸として回転可能な状態で、帯ののびる方向の両端部がリテーナ２の開口部近傍の上面壁および下面壁のそれぞれに支持された状態で組み付けられている。縦ブレード４は、帯の幅方向が空調用空気の流れ方向に沿って配置され、幅方向の中心より先端側に回転軸が位置するように組み付けられている。
【００３８】
そして、縦ブレード４は、複数枚がお互いが平行な状態が維持されるように組み付けられた。詳しくは、複数の縦ブレード４のそれぞれの回転軸が、幅方向にのびる略棒状の接続部材４１に固定された。縦ブレード４が接続部材４１に固定されたことで、接続部材４１を変移させることで縦ブレード４の向きを変更できる。縦ブレード４と接続部材４１との接続の状態がわかるように図１〜２に示した。なお、図１〜２は、両者の接続の様子が分かるように、レジスタパネル１，リテーナ２，縦ブレード４および接続部材４１のみを示した。図１は縦ブレード４の幅方向が空調用空気の流れ方向に、図２は縦ブレード４を回転させた状態を示した図である。
【００３９】
また、複数の縦ブレード４のうち一方の端部側に配置された縦ブレード４０の回転軸には、回転軸と同軸に一体にもうけられた縦ブレード回転ギア４１がもうけられた。縦ブレード回転ギア４１は、その周方向の外周面に歯車が形成された略扇状を有する。ここで、縦ブレード回転ギア４１の周方向の外周面は、回転軸を中心とした円にそって形成されている。縦ブレード４と縦ブレード回転ギア４１との接続の状態がわかるように図３に示した。なお、図３は、縦ブレード回転ギア４１が接続された縦ブレード４の上面図であり、入力部５及び回転シャフト６をあわせて示した。
【００４０】
入力部５は、回転中心５００と、この回転中心５００を中心とする略半球状の表面に車室内に突出した操作ノブ５０１とをもつ操作部５０２と、を有する球状部５０と、球状部５０の操作ノブ５０１を車室内に表出した状態で球状部５０を回転可能な状態で支持する支持部５１と、を有する。本実施例においては、支持部５１の表面が車室内に表出している。
【００４１】
本実施例の空調用レジスタにおいて入力部５は、車室内の吹き出し口１０の下方に操作部５０２の操作ノブ５０１が表出してもうけられている。
【００４２】
球状部５０の裏面側（操作ノブ５０１が形成されていない表面）には、回転中心５００から突出した突出部５２０と、突出部５２０の先端部に周方向の外周面に歯車がもうけられた略扇状のギア本体部５２１と、からなる横回転ギア５２が形成されている。横回転ギア５２のギア部５２１は、横方向に広がる平面にそって配置されている。ここで、横回転ギア５２のギア本体部５２１の周方向の外周面は、球状部５０の回転中心５００を中心とした円にそって形成されている。横回転ギア５２のギア本体部５２１は、球状部５０が回転したときに横方向の回転運動にともなって周方向に変移する。
【００４３】
球状部５０の裏面側（操作ノブ５０１が形成されていない表面）には、回転中心５００から突出した突出部５３０と、突出部５３０の先端部に周方向の外周面に歯車がもうけられた略扇状のギア本体部５３１と、からなる縦回転ギア５３が形成されている。縦回転ギア５３のギア部５３１は、縦方向に広がる平面にそって配置されている。ここで、縦回転ギア５３のギア部５３１の周方向の外周面は、球状部５０の回転中心５００を中心とした円にそって形成されている。縦回転ギア５３のギア本体部５３１は、球状部５０が回転したときに縦方向の回転運動にともなって周方向に変移する。
【００４４】
本実施例の空調用レジスタには、縦回転ギア５３のギア部５３１の歯車と噛合する対向ギア５４がもうけられている。対向ギア５４は、縦回転ギア５３の位置を保持するためにもうけられている。
【００４５】
回転シャフト６は、金属よりなる棒状の本体部と、本体部の一方の端部（下方の端部）に一体にもうけられた周方向の外周面に歯車が形成された入力ギアと、本体部の他方の端部（上方の端部）に一体にもうけられた周方向の外周面に歯車が形成された出力ギア６０と、を有する。
【００４６】
回転シャフト６は回転可能な状態で入力部５と縦ブレード４とを接続している。回転シャフト６は、一方の端部の入力ギアが横回転ギア５２と噛合している。また、出力ギア６０が縦ブレード回転ギア４２と噛合している。
【００４７】
縦シャフト７は、金属よりなる棒状の部材である。縦シャフト７は、対向ギア５４と横ブレード３の接続部材３１の接続端部３１１の先端部とを接続している。また、縦シャフト７の縦回転ギア５３および横ブレード３との接続は、接続部材７０，７１を介して接続されている。そして、縦シャフト７と接続部材７０，７１とはボールジョイントを介して揺動可能な状態でなされている。縦シャフト７の接続方法がわかるように図４に断面図で示した。
【００４８】
本実施例の空調用レジスタは、車室内に表出した操作部５０２の操作ノブ５０１を操作して吹き出し口から吹き出す空調用空気の方向を決定する。操作ノブ５０２を操作すると、球状部５０が回転中心５００を中心に回転（変移）する。このとき、球状部５０の裏面側も回転中心５００を中心に回転する。つまり、横回転ギア５２および縦回転ギア５３も回転中心５００を中心に回転する。横回転ギア５２および縦回転ギア５３の周方向の外周面も回転中心５００を中心に回転する。
【００４９】
球状部５０の回転のうち横方向の回転は、横回転ギア５２に出力される。そして、横回転ギア５２が横方向に回転すると、横回転ギア５２のギア本体部５２１の周方向の外周面が回転中心５００を中心に回転し、この回転が噛合した入力ギア６１を介して回転シャフト６に伝達され、回転シャフト６の本体部６０が回転する。回転シャフト６の本体部６０の回転は、出力ギア６２を介して縦ブレード回転ギア４２を回転させる。縦ブレード回転ギア４２が回転すると、同軸に支持された縦ブレード４が回転・変移する。これにより、縦ブレード４が所望の方向を向くこととなる。
【００５０】
また、球状部５０の回転のうち縦方向の回転は、縦回転ギア５３に出力される。そして、縦回転ギア５３が縦方向に回転すると、縦回転ギア５３に接続された縦シャフト７が縦方向に変移する。そして、縦シャフト７に接続された接続端部３１１の先端部を縦方向に変移させ、接続部材３１を回転中心を中心に回転させる。この回転により接続部材３１の接続本体部３１０が縦方向に変移を生じ、横ブレード３を回転・変移させる。これにより、横ブレード３が所望の方向を向くこととなる。
【００５１】
本実施例の空調用レジスタは、縦回転ギア５３が対向ギア５４に噛合している。この対向ギア５４により、縦シャフト７自身の重量等により縦回転ギア５３が縦方向の回転（縦回転ギア５３が下方にずれる）することを抑えることができる。
【００５２】
本実施例の空調用レジスタは、回転シャフト６および縦シャフト７で入力部５の入力を各ブレード３，４に伝達している。回転シャフト６および縦シャフト７は、金属の棒状の部材よりなるため、入力部５の出力（回転中心５００を中心とした回転）をロスなく伝達できる。この結果、本実施例の空調用レジスタは高い操作感が得られた。
【図面の簡単な説明】
【００５３】
【図１】実施例の空調用レジスタの吹き出し口近傍の上面図である。
【図２】実施例の空調用レジスタの吹き出し口近傍の上面図である。
【図３】実施例の空調用レジスタにおいて縦ブレードと縦ブレード回転ギアとの配置を示した上面図である。
【図４】実施例の空調用レジスタの縦シャフトの接続の様子を示した断面図である。
【符号の説明】
【００５４】
１：レジスタパネル                １０：吹き出し口
２：リテーナ
３：横ブレード                    ３１：接続部材
３１０：接続本体部                ３１１：接続端部
３１２：回転中心
４、４０：縦ブレード              ４１：接続部材
４２：縦ブレード回転ギア
５：入力部                        ５０：球状部
５００：回転中心                  ５０１：操作ノブ
５０２：操作部                    ５１：支持部
５２：横回転ギア                  ５２０：突出部
５２１：ギア本体部                ５３：縦回転ギア
５３０：突出部                    ５３１：ギア本体部
５４：対向ギア
６：回転シャフト                  ６０：出力ギア
７：縦シャフト
【図１】
2006281937.tif 000003
【図２】
2006281937.tif 000004
【図３】
2006281937.tif 000005
【図４】
2006281937.tif 000006